(57)【要約】【課題】保持されるコインが目的とする立体形状の一部分を構成し、コインの増加に伴い目的とする立体形状が徐々に構築され、所定数に達した時に目的の数量に到達すると共に目的とする立体形状が完成する新規なコインホルダーを提供する。【解決手段】ホルダー本体ａの胴部１と頭部４の外周面の周方向に沿って、複数のコイン保持用スリット５，６を適宜間隔毎に並列状に開設する。夫々のコイン保持用スリット５〜８に一枚宛コイン（硬貨）１０，１０’を差し込むことで、ホルダー本体ａの外側に各硬貨が保持される。全てのスリット５〜８に硬貨が差し込まれた時点で、目的とするプードル犬の立体状の擬似形態が完成すると共に、目的の貯蓄額に到達する。【選択図】  図３
0003109622.tif 000002
【実用新案登録請求の範囲】
【請求項１】
硬質プラスチック又は硬質ゴム製のホルダー本体の外面に、コインの外周の一部が着脱可能に差し込まれるコイン保持用スリットを多数開設してなるコインホルダー。
【請求項２】
前記ホルダー本体が硬質合成樹脂とゴム系樹脂の混合材料からなり、前記コイン保持用スリットが、外周の一部を差し込んだコインを着脱可能に保持する弾性を有する請求項１記載のコインホルダー。
【請求項３】
前記ホルダー本体が動物の立体形態を成し、該ホルダー本体外面における全てのコイン保持用スリットにコインを差し込むことで、立体状の動物の擬似形態が完成するよう形成されている請求項１又は２記載のコインホルダー。
【請求項４】
前記ホルダー本体が乗り物の立体形態を成し、該ホルダー本体外面における全てのコイン保持用スリットにコインを差し込むことで、立体状の乗り物の擬似形態が完成するよう形成されている請求項１又は２記載のコインホルダー。
【請求項５】
前記ホルダー本体が建造物の立体形態を成し、該ホルダー本体外面における全てのコイン保持用スリットにコインを差し込むことで、立体状の建造物の擬似形態が完成するよう形成されている請求項１又は２記載のコインホルダー。
【請求項６】
前記ホルダー本体が円筒状部又は円柱状部を備え、前記コイン保持用スリットが、前記円筒状部又は円柱状部における外周面の周方向に沿って適宜間隔毎に並列状に開設されている請求項１〜５の何れか１項記載のコインホルダー。
【請求項７】
前記コイン保持用スリットに差し込まれるコインが硬貨である請求項１〜６の何れか１項記載のコインホルダー。
【考案の詳細な説明】
【技術分野】
【０００１】
本考案はコインホルダーに関し、詳しくは、動物、乗り物、建造物などの形態を成すホルダー本体の外面にコインを一枚ずつ保持せしめることで、動物、乗り物、建造物などの擬似形態が完成する新規なコインホルダーに関する。
【背景技術】
【０００２】
硬貨などのコインを保管するものとして、従来から貯金箱が知られているが、貯金箱は単なる容器であり、どの程度の数量のコインが保管されているかを知ることはできない。また、従来の貯金箱は、箱自体が置物としての機能を備えるが、コインの保管枚数の増加に応じて外観が変化するようなことはなく、貯蓄を継続するための面白みに欠けるという不具合がある。
このような問題を解決するために、例えば特許文献１や２には、動物の形のシートや建造物の立体模型の外面に硬貨嵌め込み穴を複数設け、各穴に一枚宛硬貨を嵌め込んでいくことで、硬貨の数量の増加、すなわち貯蓄金額が一目で分かると共に、全ての穴に硬貨を嵌め込めば所定の貯蓄額に達成するので貯蓄意欲も高まるなどの付加価値を持たせたコインホルダーが提案されている。
【０００３】
【特許文献１】実開平３−８１４号公報
【特許文献２】実開昭５７−３００８１号公報
【考案の開示】
【考案が解決しようとする課題】
【０００４】
しかし、これら従来のコインホルダーは、嵌め込み穴に硬貨を嵌め込んでいくだけであり、コインが模様の一部を構成するなどの視覚的硬貨はあるが、コイン自体が動物や建造物の立体形状の一部を構成するものではないので面白みに欠けるという欠点があり、その点に改善の余地を残していた。
【０００５】
本考案はこのような従来事情に鑑みてなされたもので、その目的とする処は、保持されるコインが目的とする立体形状の一部分を構成し、コインの増加に伴い目的とする立体形状が徐々に構築され、所定数に達した時に目的の数量に到達すると共に目的とする立体形状が完成する、新規なコインホルダーを提供することにある。
【課題を解決するための手段】
【０００６】
以上の目的を達成するために、本考案に係るコインホルダーは、硬質プラスチック又は硬質ゴム製のホルダー本体の外面に、コインの外周の一部が着脱可能に差し込まれるコイン保持用スリットを多数開設してなることを特徴とする（請求項１）。
【０００７】
このような構成によれば、夫々のコイン保持用スリットに一枚宛コインを差し込むことで、ホルダー本体の外側にそのコインが突出する状態で一枚宛コインが増加していき、コインの増加に伴い目的とする立体形状が徐々に構築され、全てのコイン保持用スリットにコインが差し込まれた時点で、目的の数量に到達すると共に目的とする立体形状が完成する。
【０００８】
コイン保持用スリットに差し込んだコインが確実に保持され、且つ保持されたコインを容易に任意に取り外すことができるようにすること、及び、ホルダー本体を動物、乗り物、建造物等の所望の立体形状とするための成形性等を考慮すると、ホルダー本体が硬質合成樹脂とゴム系樹脂の混合材料からなり、コイン保持用スリットが、外周の一部を差し込んだコインを着脱可能に保持する弾性を有することが好ましい（請求項２）。
硬質合成樹脂とゴム系樹脂の混合材料としては、ＡＢＳ樹脂とゴム系樹脂を所定の割合、例えばＡＢＳ樹脂８０％，ゴム系樹脂２０％程度の割合で混合してなる混合材料を好ましく用いることができる。ゴム系樹脂としては、ＴＰＲ（Ｔｈｅｒｍｏ−Ｐｌａｓｔｉｃ−Ｒｕｂｂｅｒ）、ＴＰＥ（Ｔｈｅｒｍｏ−Ｐｌａｓｔｉｃ−Ｅｌａｓｔｏｍｅｒ）等と称される公知の熱可塑性ゴム，熱可塑性エラストマー材料を用いることができる。
【０００９】
本考案のコインホルダーにより構築される目的の形状としては、前述したように、動物、乗り物、建造物等をあげることができる。ここで動物とは、犬、猫、馬、ライオン、キリン、象などの所謂四足動物や、亀、蛙、ワニなどの両生類や爬虫類、その他、鳥類、猛禽類、恐竜などをも含むものである。乗り物とは、自動車、バス、電車、飛行機、船、ロケット、宇宙船などをも含むものである。建造物とは、歴史的建造物、神社仏閣、ビル、鉄塔、競技場などをも含むものである。
【００１０】
より具体的な態様として、前記ホルダー本体が動物の立体形態を成し、該ホルダー本体外面における全てのコイン保持用スリットにコインを差し込むことで、立体状の動物の擬似形態が完成するよう形成されている態様（請求項３）、前記ホルダー本体が乗り物の立体形態を成し、該ホルダー本体外面における全てのコイン保持用スリットにコインを差し込むことで、立体状の乗り物の擬似形態が完成するよう形成されている態様（請求項４）、前記ホルダー本体が建造物の立体形態を成し、該ホルダー本体外面における全てのコイン保持用スリットにコインを差し込むことで、立体状の建造物の擬似形態が完成するよう形成されている態様（請求項５）をあげることができる。
すなわち、請求項３は、前記ホルダー本体が動物の立体形態を成し、該ホルダー本体の外面に、立体状の動物の擬似形態を構築するためのコイン保持用スリットを多数形成し、それら全てのコイン保持用スリットにコインを差し込むことで立体状の動物の擬似形態が構築されるコインホルダーである。請求項４は、前記ホルダー本体が乗り物の立体形態を成し、該ホルダー本体の外面に、立体状の乗り物の擬似形態を構築するためのコイン保持用スリットを多数形成し、それら全てのコイン保持用スリットにコインを差し込むことで立体状の乗り物の擬似形態が構築されるコインホルダーである。請求項５は、前記ホルダー本体が建造物の立体形態を成し、該ホルダー本体の外面に、立体状の建造物の擬似形態を構築するためのコイン保持用スリットを多数形成し、それら全てのコイン保持用スリットにコインを差し込むことで立体状の建造物の擬似形態が構築されるコインホルダーである。
【００１１】
前記ホルダー本体が円筒状部又は円柱状部を備え、前記コイン保持用スリットが、前記円筒状部又は円柱状部における外周面の周方向に沿って適宜間隔毎に並列状に開設されていることが好ましい（請求項６）。
【００１２】
このような構成とした場合、各スリットに保持されたコインが、ホルダー本体の円筒状部又は円柱状部における外周面の周方向に沿って適宜間隔毎に並列状に並び、且つ各々のコインが、個々の傾斜角度をもって前記外周面の周方向に沿って連続するので、今までのコインホルダーでは得ることのできない、新規な立体形状，立体模様が構築される。よって、従来のコインホルダーにはない極めて特徴的且つ斬新な外観を呈する立体形状を構築することが可能になる。
【００１３】
前記コイン保持用スリットに差し込まれるコインは、１円硬貨、５円硬貨、１０円硬貨、１００円硬貨、５００円硬貨などの硬貨であることが、貯蓄目的を達成できるので好ましい（請求項７）。
【考案の効果】
【００１４】
本考案に係るコインホルダーは以上説明したように構成したので、保持されているコインの数量が一目で分かると共に、コインの増加に伴い目的とする立体形状が徐々に構築され、且つコインがその立体形状の一部を構築するので、従来のコインホルダーでは得られなかった立体形状，立体模様を醸し出す新規なコインホルダーとして提供することができた。また、ホルダー本体を動物、乗り物、建造物などの立体形態を成すよう成形し、該ホルダー本体外面の多数のコイン保持用スリット全てにコインを差し込むことで、立体状の動物、乗り物、建造物などの擬似形態が完成するので、コインが硬貨である場合、貯蓄意欲を高めたり、完成した立体形状物を新規な外観を奏する置物として提供し得るなど、従来のコインホルダーでは得られなかった種々の付加価値を備える。
【考案を実施するための最良の形態】
【００１５】
以下、本考案に係るコインホルダーの実施形態の例を図面に基づいて説明する。
図１〜図３に示す例は、内部を中空とした円柱形の胴部１の下面四箇所に足部２を設けると共に、胴部１の一端側の上面に首部３を立ち上げ、その首部３の上端に頭部４を固定して、四足動物、詳しくは犬の立体形態をなすホルダー本体ａを形成したものである。
【００１６】
胴部１と頭部４は硬質合成樹脂とゴムの混合材料で成形されており、本例では、ＡＢＳ樹脂８０％、ゴム系樹脂２０％の割合で混合してなる混合材料により胴部１と頭部４を成形して、後述するコイン保持用スリット５〜８が、該スリットに外周の一部を差し込んだコイン１０，１０’を着脱可能に保持し得る弾性を有するようになっている。足部２と首部３は、胴部１，頭部４と同じ材料で成形しても良いし、異なる材料、例えばＡＢＳ樹脂等の硬質合成樹脂製としても良い。
【００１７】
胴部１の外周面と、頭部４における円柱状部分の外周面には、その周方向に沿って適宜間隔毎に、並列状にコイン保持用スリット５が複数形成されており、各スリット５に保持されるコイン１０各々が、個々の傾斜角度をもって前記外周面の周方向に沿って連続し、これらコイン１０によりプードル犬の毛並みが表現されるようになっている。
また、頭部４の上面二箇所には、頭部周方向に沿って直列状にコイン保持用スリット６が形成されており、このスリット６に保持されるコイン１０’でプードル犬の耳が表現されるようになっている。胴部１の前端面には、胴部高さ方向に沿って並列状に複数のコイン保持用スリット７が形成されており、このスリット７に保持されるコイン１０’でプードル犬の胸部の毛並みが表現されるようになっている。胴部１の後端面の上部には、胴部高さ方向に直交するようコイン保持用スリット８が上向き傾斜状に形成されており、このスリット８に保持されるコイン１０’でプードル犬の尻尾が表現されるようになっている。
【００１８】
そうして、図２，図３に示すように、全てのスリット５，６，７，８にコイン１０，１０’が差し込まれた状態で、コイン保持数が所定数に到達すると共に、プードル犬の擬似形態が完成するようになっている。
【００１９】
また、前記各スリット５〜８は同じ大きさのコインを保持可能な開口幅で形成されており、本例では、コイン１０，１０’を５００円硬貨とし、これを保持し得るスリット５〜８を合計で１００ケ形成して、５万円を貯蓄可能なコインホルダーとして機能するようになっている。
【００２０】
以下、前述したプードル犬以外の立体物の擬似形態を醸し出すよう、ホルダー本体の構成とコイン保持用スリットの形成箇所、形成数等を変更した例を説明するが、前記説明と重複する要素については図中に同一の符合を付す等して、重複する説明を省略する。
【００２１】
図４及び図５に示す例は、底面部分が平坦面である略円柱形状の胴部２１における外周下縁部に、左右四本の足部２２を突出状に設けると共に、胴部２１の長手方向一端側の上面に頭部２３を固定し、且つ他端側の上面に尻尾部２４を突出状に設けて、四足動物、詳しくはライオンの立体形態をなすホルダー本体ｂを形成したものである。
【００２２】
胴部２１、足部２２、頭部２３、尻尾部２４は前述の混合材料で成形されていて、後述するコイン保持用スリット５，５’，６，７，８，９が、該スリットに差し込まれるコイン１０，１０’，１１，１１’を着脱可能に保持し得る弾性を有するようになっている。
【００２３】
胴部２１、足部２２、頭部２３、尻尾部２４の夫々における大小の円柱状部分の外周面には、その周方向に沿って適宜間隔毎に、並列状にコイン保持用スリット５，５’が複数形成されており、各スリット５，５’に保持されるコイン１０，１１各々が、個々の傾斜角度をもって前記外周面の周方向に沿って連続し、これらコイン１０，１１によりライオンの毛並みが表現されるようになっている。
【００２４】
頭部２３の略中心部の上面二箇所には、頭部周方向に沿って直列状にコイン保持用スリット６が形成されており、このスリット６に保持されるコイン１０’でライオンの耳が表現されるようになっている。また、頭部２３の略中心部には、頭部周方向に沿って直列状にコイン保持用スリット７が複数形成されており、このスリット７に保持されるコイン１１’でライオンのたてがみの一部が表現されるようになっている。
頭部２３の先端上部には、該頭部２３の径方向に沿うスリット８が形成されており、このスリット８に保持されるコイン１１’でライオンの鼻頭が表現されるようになっている。
【００２５】
胴部２１の前端面には、胴部高さ方向に沿って並列状に複数のコイン保持用スリット９が形成されており、このスリット９に保持されるコイン１０’でライオンの胸部の毛並みが表現されるようになっている。
【００２６】
前述したスリット５’，７，８は、他のスリット５，６，９より開口幅が小さい小スリットとし、これら小スリット５’，７，８で保持されるコイン１１，１１’は、他のコイン１０，１０’と異なるものとなるようにしている。
具体的には、小スリット５’，７，８で保持されるコイン１１，１１’を１０円硬貨とし、スリット５，６，９で保持される５００円硬貨と異なる色になるものとして、ライオンのたてがみ、尻尾の端部、鼻頭などをより本物に近い状態で表現し得るようになっている。
【００２７】
そうして、図５に示すように、全てのスリット５，５’，６，７，８，９にコイン１０，１０’，１１，１１’が差し込まれた状態で、コイン保持数（貯蓄額）が所定数（所定額）に到達すると共に、ライオンの擬似形態が完成するようになっている。
【００２８】
図６及び図７に示す例は、略円柱状の胴部３１の下面四箇所に足部３２を突出状に設けると共に、胴部３１の長手方向一端側の上面に頭部３３を連設し、且つ他端側の上面に尻尾部３４を突出状に設けて、恐竜の立体形態をなすホルダー本体ｃを形成したものである。
【００２９】
胴部３１、足部３２、頭部３３、尻尾部３４は前述の混合材料で成形されており、後述するコイン保持用スリット５，７’，８と穴８’が、これらに差し込み又は嵌め込まれるコイン１０，１１，１１’を着脱可能に保持し得る弾性を有するようになっている。
【００３０】
胴部３１、足部３２、頭部３３、尻尾部３４の夫々における大小の円柱状部分の外周面には、その周方向に沿って適宜間隔毎に、並列状にコイン保持用スリット５が複数形成されており、各スリット５に保持されるコイン１０各々が、個々の傾斜角度をもって前記外周面の周方向に沿って連続し、これらコイン１０により恐竜の鱗が表現されるようになっている。
【００３１】
胴部３１と頭部３３の上端縁部分には、その長手方向に沿って直列状にコイン保持用スリット７’が形成されており、このスリット７’に保持されるコイン１１で恐竜の背びれが表現されるようになっている。頭部３３の先端には、その軸線方向に沿ってコイン保持用のスリット８が形成されており、このスリット８に保持されるコイン１０’で恐竜の鼻頭が表現されるようになっている。
頭部３３の左右両側の略中央箇所には、コイン保持用の穴８’が形成されており、この穴８’に嵌め込んで保持されるコイン１１’で恐竜の目が表現されるようになっている。
【００３２】
尚、この例のスリット７’と穴８’は、前述した１０円硬貨（コイン１１，１１’）を保持し得る大きさに形成され、前記背びれと目が、５００円硬貨（コイン１０，１０’）による鱗とは異なる色彩となるよう考慮されている。
【００３３】
そうして、図７に示すように、全てのスリット５，７’，８と穴８’にコイン１０，１０’，１１，１１’が保持された状態で、コイン保持数（貯蓄額）が所定数（所定額）に到達すると共に、恐竜の擬似形態が完成するようになっている。
【００３４】
図８及び図９に示す例は、略円柱状の胴部４１の下方に、連結棒４２，４３を介して略円柱状の車輪部４４を配設して、電車の立体形態をなすホルダー本体ｄを形成したものである。
【００３５】
胴部４１、車輪部４４は前述の混合材料で成形されており、後述するコイン保持用スリット５が、これに差し込まれるコイン１０を着脱可能に保持し得る弾性を有するようになっている。
【００３６】
胴部４１、車輪部４４の外周面には、その周方向に沿って適宜間隔毎に、並列状にコイン保持用スリット５，５”が複数形成されており、各スリット５，５”に保持されるコイン１０，１２各々が、個々の傾斜角度をもって前記外周面の周方向に沿って連続し、コイン１０により車体外面の模様，形状が表現され、コイン１２により車輪外面の模様，形状が表現されるようになっている。
【００３７】
尚、車輪部４４のスリット５”は、５０円硬貨であるコイン１２を保持し得る大きさに形成され、コイン１０により表現される車体模様との差別化が図れるよう考慮されている。またこのスリット５”は、コイン１２がきつく嵌る形状に形成して、下方に向けて突出するコイン１２の脱落を防止し得るようになっている。
【００３８】
そうして、図９に示すように、全てのスリット５，５”にコイン１０，１２が保持された状態で、コイン保持数（貯蓄額）が所定数（所定額）に到達すると共に、電車の擬似形態が完成するようになっている。
【００３９】
図１０及び図１１に示す例は、略円柱状の胴部５１の左右両側に板状の主翼部５２を突出状に連設すると共に、胴部５１の前面と後面にプロペラ保持部５３，５４を夫々突出状に連設し、且つ胴部５１の先端側の上面に膨出部５５を連設して、飛行機の立体形態をなすホルダー本体ｅを形成したものである。５６はホルダー本体ｅを支持するための架台である。
【００４０】
胴部５１、主翼部５２、プロペラ保持部５３，５４、膨出部５５は前述の混合材料で成形されており、後述するコイン保持用スリット５が、これに差し込まれるコイン１０を着脱可能に保持し得る弾性を有するようになっている。
【００４１】
前記胴部５１、プロペラ保持部５３，５４における大小の円柱状部の外周面には、その周方向に沿って適宜間隔毎に、並列状にコイン保持用スリット５が複数形成されており、各スリット５に保持されるコイン１０が、個々の傾斜角度をもって前記外周面の周方向に沿って連続し、これらコイン１０により飛行機胴体の模様やプロペラが表現されるようになっている。
【００４２】
膨出部５５は略直方体形状に形成され、その左右両側面には、前後方向に沿って適宜間隔毎に、並列状にコイン保持用スリット５’が複数形成されており、各スリット５’に保持されるコイン１０により膨出部５５が操縦室として表現されるようになっている。
【００４３】
主翼部５２の上面には、長手方向に沿って適宜間隔毎に、並列状にコイン保持用スリット５’が複数形成されており、各スリット５’に保持されるコイン１０’により主翼の模様，形状が表現されるようになっている。
【００４４】
そうして、図１１に示すように、全てのスリット５，５’にコイン１０，１０’が保持された状態で、コイン保持数（貯蓄額）が所定数（所定額）に到達すると共に、飛行機の擬似形態が完成するようになっている。
【００４５】
以上、本考案の実施形態例を図面に基づいて説明したが、本考案に係るコインホルダー及びコインは図示及び上記説明のものに限定されず、実用新案登録請求の範囲の各請求項に記載された技術的思想の範疇において、種々の変更が可能であることは言うまでもない。
【図面の簡単な説明】
【００４６】
【図１】本考案の実施形態の一例を示す正面図。
【図２】図１の使用状態に係る正面図。
【図３】図２の斜視図。
【図４】本考案の実施形態の他例を示す正面図。
【図５】図４の使用状態に係る正面図。
【図６】本考案の実施形態のさらに他例を示す正面図。
【図７】図６の使用状態に係る正面図。
【図８】本考案の実施形態のさらに他例を示す正面図。
【図９】図８の使用状態に係る正面図。
【図１０】本考案の実施形態のさらに他例を示し、（イ）は正面図、（ロ）はプロペラ保持部を後ろから見た図である。
【図１１】図１０の使用状態に係り、（イ）は正面図、（ロ）はプロペラ保持部を後ろから見た図である。
【符号の説明】
【００４７】
ａ，ｂ，ｃ，ｄ，e：ホルダー本体
５，５’，６，７，８，９：コイン保持用スリット
１０，１０’，１１，１１’：コイン
【図１】
0003109622.tif 000003
【図２】
0003109622.tif 000004
【図３】
0003109622.tif 000005
【図４】
0003109622.tif 000006
【図５】
0003109622.tif 000007
【図６】
0003109622.tif 000008
【図７】
0003109622.tif 000009
【図８】
0003109622.tif 000010
【図９】
0003109622.tif 000011
【図１０】
0003109622.tif 000012
【図１１】
0003109622.tif 000013